(57)【要約】【課題】  ＭＶＡ型液晶表示パネルにおける液晶分子の異常配向を抑制する。【解決手段】  この液晶表示装置は、上基板と、上基板に平行な下基板と、上基板と下基板との間に位置する液晶層と、上基板と液晶層との間に位置し、鋸歯形状を有する上鋸歯状パターン部が少なくとも一箇所に形成されている共通電極と、液晶層と下基板との間に位置し、鋸歯形状を有する下鋸歯状パターン部が少なくとも一箇所に形成されている画素電極を備えている。上鋸歯状パターン部は、共通電極に形成されている主スリットと、その主スリットの両側から伸びている複数の副スリットによって構成されている。下鋸歯状パターン部は、画素電極に形成されている主スリットと、その主スリットの両側から伸びている複数の副スリットによって構成されている。【選択図】図５
2007025661.tif 000002
【特許請求の範囲】
【請求項１】
上基板と、
上基板に平行な下基板と、
上基板と下基板との間に位置する液晶層と、
上基板と液晶層との間に位置し、鋸歯形状を有する上鋸歯状パターン部が少なくとも一箇所に形成されている共通電極と、
液晶層と下基板との間に位置し、鋸歯形状を有する下鋸歯状パターン部が少なくとも一箇所に形成されている画素電極を備え、
上鋸歯状パターン部は、共通電極に形成されている主パターン部と、その主パターン部の両側から伸びている複数の副パターン部によって構成されており、
下鋸歯状パターン部は、画素電極に形成されている主パターン部と、その主パターン部の両側から伸びている複数の副パターン部によって構成されており、
副パターン部の長さは３０μｍ以下であり、
上鋸歯状パターン部の副パターン部と下鋸歯状パターン部の副パターン部との基板平行方向における距離が０μｍ〜２０μｍである、
ことを特徴とするマルチドメイン垂直配向型液晶表示装置。
【請求項２】
上基板と、
上基板に平行な下基板と、
上基板と下基板との間に位置する液晶層と、
上基板と液晶層との間に位置し、鋸歯形状を有する上鋸歯状パターン部を少なくとも一箇所に有する共通電極と、
液晶層と下基板との間に位置し、鋸歯形状を有する下鋸歯状パターン部を少なくとも一箇所に有する画素電極を備え、
上鋸歯状パターン部は、共通電極に形成されている主パターン部と、その主パターン部の両側から伸びている複数の副パターン部によって構成されており、
下鋸歯状パターン部は、画素電極に形成されている主パターン部と、その主パターン部の両側から伸びている複数の副パターン部によって構成されており、
各副パターン部の長さは４０μｍ以下であり、
上鋸歯状パターン部の副パターン部と下鋸歯状スリットの副パターン部は、互いに重畳する位置まで伸びているとともに、その重畳長さが２０μｍ以下である、
ことを特徴とするマルチドメイン垂直配向型液晶表示装置。
【請求項３】
前記重畳長さが、前記副パターン部の長さの半分であることを特徴とする請求項２のマルチドメイン垂直配向型液晶表示装置。
【請求項４】
前記上鋸歯状パターン部の副パターン部は、前記下鋸歯状パターン部の主パターン部に重畳する位置まで伸びておらず、
前記下鋸歯状パターン部の副パターン部は、前記上鋸歯状パターン部の主パターン部に重畳する位置まで伸びていない、
ことを特徴とする請求項２又は３のマルチドメイン垂直配向型液晶表示装置。
【請求項５】
前記下基板側に配置されているストレージキャパシタをさらに備え、
前記共通電極には、ストレージキャパシタと重畳する領域の少なくとも一部に、開口部が形成されていることを特徴とする請求項１から４のいずれかのマルチドメイン垂直配向型液晶表示装置。
【請求項６】
前記上鋸歯状パターン部は、前記共通電極に形成されている主スリットと、その主スリットの両側から伸びている複数の副スリットによって形成されており、
前記下鋸歯状パターン部は、前記画素電極に形成されている主スリットと、その主スリットの両側から伸びている複数の副スリットによって形成されている、
ことを特徴とする請求項１から５のいずれかのマルチドメイン垂直配向型液晶表示装置。
【請求項７】
前記上鋸歯状パターン部は、前記共通電極上に配設されている主突出部と、その主突出部の両側から伸びている複数の副突出部によって形成されており、
前記下鋸歯状パターン部は、前記画素電極上に配設されている主突出部と、その主突出部の両側から伸びている複数の副突出部によって形成されている、
ことを特徴とする請求項１から５のいずれかのマルチドメイン垂直配向型液晶表示装置。
【請求項８】
前記上鋸歯状パターン部は、前記共通電極上に配設されている主突出部と、その主突出部の両側から伸びている複数の副突出部によって形成されており、
前記下鋸歯状パターン部は、前記画素電極に形成されている主スリットと、その主スリットの両側から伸びている複数の副スリットによって形成されている、
ことを特徴とする請求項１から５のいずれかのマルチドメイン垂直配向型液晶表示装置。
【請求項９】
前記上鋸歯状パターン部は、前記共通電極に形成されている主スリットと、その主スリットの両側から伸びている複数の副スリットによって形成されており、
前記下鋸歯状パターン部は、前記画素電極上に配設されている主突出部と、その主突出部の両側から伸びている複数の副突出部によって形成されている、
ことを特徴とする請求項１から５のいずれかのマルチドメイン垂直配向型液晶表示装置。
【請求項１０】
垂直配向処理が施された第１基板と第２基板と、
第１基板と第２基板の間に挟持されており、電場が印加されていない状態で第１基板の主表面に垂直となる液晶分子を含む液晶層と、
第１基板側に設置されており、鋸歯形状を有する第１鋸歯状パターン部を少なくとも一箇所に有する共通電極と、
第２基板側に設置されており、鋸歯形状を有する第１鋸歯状パターン部を少なくとも一箇所に有する画素電極を備え、
第１鋸歯状パターン部は、共通電極に形成されている第１主スリットと、その第１主スリットの両側から伸びている複数の第１副スリットによって構成されており、
第２鋸歯状パターン部は、画素電極に形成されている第２主スリットと、その第２主スリットの両側から伸びている複数の第２副スリットによって構成されており、
第１副スリットと第２副スリットの長さは３０μｍ以下であり、
第１鋸歯状スリットの第１副スリットと第２鋸歯状スリットの第２副スリットとの基板平行方向における距離が０μｍ〜２０μｍである、
ことを特徴とする液晶表示装置。
【請求項１１】
垂直配向処理が施された第１基板と第２基板と、
第１基板と第２基板の間に挟持されており、電場が印加されていない状態で第１基板の主表面に垂直となる液晶分子を含む液晶層と、
第１基板に設置されており、鋸歯形状を有する第１鋸歯状パターン部を少なくとも一箇所に有する共通電極と、
第２基板に設置されており、鋸歯形状を有する第２鋸歯状パターン部を少なくとも一箇所に有する画素電極を備え、
第１鋸歯状パターン部は、共通電極に形成されている第１主スリットと、その第１主スリットの両側から伸びている複数の第１副スリットによって構成されており、
第２鋸歯状パターン部は、画素電極に形成されている第２主スリットと、その第２主スリットの両側から伸びている複数の第２副スリットによって構成されており、
第１鋸歯状パターン部と第２鋸歯状パターン部は互いに平行であるとともに交互に配列されており、
第１副スリットと第２副スリットの長さは４０μｍ以下であり、
第１副スリットと第２副スリットは、互いに重畳する位置まで伸びているとともに、その重畳長さが２０μｍ以下である、
ことを特徴とする液晶表示装置。
【請求項１２】
前記重畳長さが、前記第１副スリットおよび第２副スリットの長さの半分であることを特徴とする請求項１１の液晶表示装置。
【請求項１３】
前記第１副スリットは、前記第２主スリットに重畳する位置まで伸びておらず、
前記第２副スリットは、前記第２主スリットに重畳する位置まで伸びていない、
ことを特徴とする請求項１０から１２のいずれかの液晶表示装置。
【請求項１４】
前記第２基板側に配置されているストレージキャパシタをさらに備え、
前記共通電極には、ストレージキャパシタと重畳する領域の少なくとも一部に、開口部が形成されていることを特徴とする請求項１０から１３のいずれかの液晶表示装置。
【請求項１５】
第１基板と、
第２基板と、
第１基板と第２基板の間に挟持されている液晶層と、
第１基板側に設置されており、少なくとも一箇所の開口部を有する共通電極と、
第２基板側に設置されており、少なくとも一箇所の鋸歯状パターン部を有する画素電極と、
第２基板側に設置されているストレージキャパシタを備え、
前記共通電極の開口部の少なくとも一部は、ストレージキャパシタの少なくとも一部に重畳していることを特徴とする液晶表示装置。
【発明の詳細な説明】
【技術分野】
【０００１】
本発明は、マルチドメイン垂直配向型液晶表示装置に関する。特に。共通電極と画素電極とがそれぞれ鋸歯状スリットを有するマルチドメイン垂直配向型液晶表示装置に関する。
【背景技術】
【０００２】
液晶表示装置は、例えば携帯電話、個人向け情報端末（ＰＤＡ）、ノート型パソコンといった各種の電子製品に幅広く適用されている。また、大型フラットディスプレイ市場の急速な発展に伴い、軽薄短小という特性を有する液晶表示装置は、陰極線管（ＣＲＴ）ディスプレイに代わって、市場の主流となっている。
液晶表示装置は、視野角が比較的に狭いという問題点を有している。そこで、広い視野角を実現するマルチドメイン垂直配向型（ＭＶＡ）の液晶表示パネルが開発されている。マルチドメイン垂直配向型液晶表示パネルでは、画素内において領域毎に液晶分子が異なる方位に配向するようになっている。
【０００３】
（公知技術１）
図１は、公知技術１による液晶表示パネル１００の構造を示している。公知技術１の液晶表示パネル１００は、マルチドメイン垂直配向型の液晶表示パネル１００である。この液晶表示パネル１００では、上基板１０２と、カラーフィルタ層１０４と、共通電極１０６と、液晶層１０８と、画素電極１１０と、下基板１１４が順に積層されている。共通電極１０６には、複数の突出部１１６が形成されている。各画素の画素電極１１０には、２つの突出部１１６の間に対向する位置にスリット１１８が形成されている。液晶層１０８の液晶分子は、突出部１１６とスリット１１８の縁部（fringe field）による影響を受け、領域毎に異なる特定方向に傾斜させる。それにより、公知技術１の液晶表示パネル１００の視野角を拡大させる。
【０００４】
マルチドメイン垂直配向型の液晶表示パネルでは、液晶分子の異常配向が生じることがある。その原因は、次のように考えられている。突出部１１６とスリット１１８との距離が大きくなると、突出部１１６とスリット１１８との中間に位置する液晶分子は、隣接する液晶分子に倣って配向するまでに、比較的長い時間を必要とする。その結果、突出部１１６とスリット１１８との中間に位置する液晶分子は、応答時間が増大するだけでなく、突出部１１６とスリット１１８の縁部から受ける影響が脆弱となる。そして、印加される垂直電界が液晶分子を任意の方向に傾斜させる状況下となり、傾斜方向が制御されなくなることによって、異常配向が引き起こされる。
【０００５】
また、瞬間的に高電圧が印加された場合にも、異常配向が発生することがある。瞬間的に高電圧が印加されると、突出部１１６とスリット１１８との中間の液晶分子が、隣接する液晶分子の傾斜に倣って傾斜する前に、印加された垂直電界によって任意の方向に傾斜することになり、異常配向が発生してしまう。この異常配向は、光学顕微鏡の観察によって、暗点（あるいは黒点）として確認される。
【０００６】
上記した暗点の発生は、任意の方向に傾斜した液晶分子が、上下の偏光子と４５度の角度をなさないことによる。その後、異常配向した液晶分子は、隣接する液晶分子の傾斜によって配向方向が修正され、上下の偏光子と４５度の角度をなす正しい角度に配向するが、それに必要となる時間は応答時間の増加となって現れる。異常配向の程度が大きく、隣接する液晶分子の傾斜によっても異常配向が修正されない場合には、暗点が残存することとなり、所望の輝度を表示することができない。
【０００７】
上記のことから、マルチドメイン垂直配向型の液晶ディスプレイでは、駆動電圧に臨界電圧が存在し、駆動電圧が臨界電圧を超過すると、液晶分子の異常配向が発生するといえる。そのことから、公知の液晶表示パネルでは、駆動電圧が臨界電圧を超過しないように制限し、応答時間の増大を回避する必要がある。ここで、突出部とスリットとの間の距離を短く制限すれば、異常配向の発生を回避しつつ、臨界電圧を比較的に高く設定して駆動電圧の使用可能範囲を大きくすることができる。しかしながら、突出部とスリットとの間の距離を短くした場合、突出部とスリットを多く配置する必要が生じる。突出部とスリットを配置した領域は、表示不能な領域となることから、画素領域の開口率が低下することとなり、液晶ディスプレイの輝度を低下させてしまう。
【０００８】
（公知技術２）
図２は、公知技術２による液晶表示パネル２００の構造を示している。公知技術２の液晶表示パネル２００は、図１に示す公知技術１の液晶表示パネル１００と類似した構造を有している。液晶表示パネル２００では、上基板２０２と、カラーフィルタ層２０４と、共通電極２０６と、液晶層２０８と、画素電極２１０と、下基板２１４が順に積層されている。共通電極２０６には、複数の突出部２１６が形成されている。画素電極２１０には、スリット２１８が形成されている。ただし、液晶表示パネル２００では、図１に示す液晶表示パネル１００と異なり、画素電極２１０のスリット２１８が、複数の切欠部を有する鋸歯状スリットを有している。それにより、液晶分子２０８の液晶分子は、突出部２１６と鋸歯状のスリット２１８の影響を受け、異なる配向方向に傾斜する。鋸歯状のスリット２１８は、その縁部による効果を増大させることができるので、液晶分子の異常配向を抑制するとともに液晶の応答時間を短縮する。それにより、突出部２１６とスリット２１８との間隔を広めることができる。しかしながら、液晶分子の異常配向を完全に排除することはできないので、突出部２１６とスリット２１８との間隔を所定値以下に維持しなければならず、開口率の増加の程度も制限されてしまう。
【発明の開示】
【発明が解決しようとする課題】
【０００９】
上記したように、公知技術１の液晶表示パネル１００や公知技術２の液晶表示パネル２００では、比較的に広い視野角を達成することができるが、液晶分子の応答時間が十分に短縮されておらず、残像の発現といった問題が生じる。さらに、表示パネルの開口率が低く、光源の透過率が低いといった問題もあり、液晶表示パネルの機能に影響を及ぼしている。
本発明は、上記した問題を解決する。本発明は、上記した問題に対策を講じたマルチドメイン垂直配向型液晶表示パネルを提供する。
【課題を解決するための手段】
【００１０】
本発明を具現化したマルチドメイン垂直配向型液晶表示パネルは、上基板と、上基板に平行な下基板と、上基板と下基板との間に位置する液晶層と、上基板と液晶層との間に位置し、鋸歯形状を有する上鋸歯状パターン部が少なくとも一箇所に形成されている共通電極と、液晶層と下基板との間に位置し、鋸歯形状を有する下鋸歯状パターン部が少なくとも一箇所に形成されている画素電極を備えている。上鋸歯状パターン部は、共通電極に形成されている主パターン部と、その主パターン部の両側から伸びている複数の副パターン部によって構成されている。下鋸歯状パターン部は、画素電極に形成されている主パターン部と、その主パターン部の両側から伸びている複数の副パターン部によって構成されている。
【００１１】
この液晶表示パネルでは、副パターン部の長さは３０μｍ以下であることが好ましい。そして、上鋸歯状パターン部の副パターン部と下鋸歯状パターン部の副パターン部との基板平行方向における距離が０μｍ〜２０μｍであることが好ましい。
あるいは、この液晶表示パネルでは、各副パターン部の長さは４０μｍ以下であることが好ましい。そして、上鋸歯状パターン部の副パターン部と下鋸歯状スリットの副パターン部は、互いに重畳する位置まで伸びているとともに、その重畳長さが２０μｍ以下であることが好ましい。
【００１２】
本発明によって具現化される液晶表示装置は、垂直配向処理が施された第１基板と第２基板と、第１基板と第２基板の間に挟持されており、電場が印加されていない状態で第１基板の主表面に垂直となる液晶分子を含む液晶層と、第１基板側に設置されており、鋸歯形状を有する第１鋸歯状パターン部を少なくとも一箇所に有する共通電極と、第２基板側に設置されており、鋸歯形状を有する第２鋸歯状パターン部を少なくとも一箇所に有する画素電極を備えている。第１鋸歯状パターン部は、共通電極に形成されている第１主スリットと、その第１主スリットの両側から伸びている複数の第１副スリットによって構成されている。第２鋸歯状パターン部は、画素電極に形成されている第２主スリットと、その第２主スリットの両側から伸びている複数の第２副スリットによって構成されている。第１鋸歯状パターン部と第２鋸歯状パターン部は、互いに平行であるとともに交互に配列されている。
【００１３】
この液晶表示装置では、第１副スリットと第２副スリットの長さは３０μｍ以下であることが好ましい。そして、第１副スリットと第２副スリットとの基板平行方向における距離が０μｍ〜２０μｍであることが好ましい。
あるいは、この液晶表示パネルでは、第１副スリットと第２副スリットの長さは４０μｍ以下であることが好ましい。そして、第１副スリットと第２副スリットは、互いに重畳する位置まで伸びているとともに、その重畳長さが２０μｍ以下であることが好ましい。
【００１４】
本発明によって具現化される別の液晶表示装置は、第１基板と第２基板と、第１基板と第２基板の間に挟持されている液晶層と、第１基板側に設置されており、少なくとも一箇所の開口部を有する共通電極と、第２基板側に設置されており、少なくとも一箇所の鋸歯状パターン部を有する画素電極と、第２基板側に設置されているストレージキャパシタを備えている。そして、共通電極の前記開口部の少なくとも一部は、ストレージキャパシタの少なくとも一部に重畳しており、第１基板のストレージキャパシタに対向する領域の少なくとも一部には、共通電極が形成されていない。
【発明の効果】
【００１５】
本発明により、液晶表示装置の視野角を増大させるとともに、液晶分子の応答時間を短縮させることによって動的画像の品質を大幅に改善することが可能となる。また、本発明によると、液晶表示パネルの光源透過率を増加させることができ、高い輝度とコントラスト値を備える液晶表示パネルを実現することが可能となる。本発明により、液晶表示パネルの機能を効果的に上昇させることができる。
【発明を実施するための最良の形態】
【００１６】
図３は、本発明を実施したマルチドメイン垂直配向型液晶表示パネル３００の構造を示している。このマルチドメイン垂直配向型液晶表示パネル３００は、従来の液晶表示パネルと同様に、液晶表示装置の液晶表示パネルとして採用することができる。
マルチドメイン垂直配向型液晶表示パネル３００は、上基板３０３と、カラーフィルタ層３０４と、共通電極３０６と、液晶分子３０８と、画素電極３１０と、下基板３１４を備えており、それらが上記した順に積層されている。上基板３０３と下基板３１４は、互いに平行に配置されている。
共通電極３０６には、複数の上側鋸歯状パターン部３２０が形成されている。各上鋸歯状パターン部３２０は、１箇所の主スリット（主パターン部）３２２と、主スリット３２２の両側から伸びている複数の副スリット（副パターン部）３２４によって構成されている。即ち、上側鋸歯状パターン部３２０は、共通電極３０６に形成されている鋸歯形状のスリットである。一方、各画素内に配置されている画素電極３１０には、共通電極３０６に並列する上鋸歯状パターン部３２０の間に位置するように、下鋸歯状パターン部３４０が形成されている。各下鋸歯状パターン部３４０は、１箇所の主スリット（主パターン部）３４２と、主スリット３４２の両側から伸びている複数の副スリット（副パターン部）３４４によって構成されている。即ち、下側鋸歯状パターン部３４０は、画素電極３１０に形成されている鋸歯形状のスリットである。
【００１７】
本実施例の上鋸歯状パターン部３２０と下鋸歯状パターン部３４０は、上下の基板３０３、３１４に沿った平行面上において、マルチドメイン垂直配向型液晶表示パネル３００の各画素内に配置されている。それにより、その間に充填されている液晶層３０８の液晶分子は、上鋸歯状パターン部３２０と下鋸歯状パターン部３４０の影響により、領域毎に異なる所定方向に傾斜する。副スリット３２４、３４４は、主スリット３２２、３４２から大きく離間した液晶分子にも、上下の鋸歯状パターン部３２０、３４０による影響を十分に与えることができる。電圧が印加した際には液晶分子の傾斜方向が確実に制御され、液晶分子の異常配向は大幅に改善され、応答時間も公知技術と比較して有意に短縮される。副スリット３２４、３４４は、上下の鋸歯状パターン部３２０、３４０の縁部による影響（フリンジ効果）を増大させることから、上下の主スリット３２２、３４２を比較的に大きく離間させて配置することが可能となる。それにより、主スリット３２２、３４２の分布密度は有意に低減され、開口率（つまり光透過領域の比率）が十分に増大し、液晶ディプレイの表示品質は顕著に向上する。
【００１８】
本実施形態の変形例として、上記に説明した上鋸歯状パターン部３２０と下鋸歯状パターン部３４０を、同様の鋸歯形状の輪郭を有する突出部に置換してもよい。この場合、主スリット３２２、３４２と副スリット３２４、３４４によって構成される鋸歯形状のスリットに代えて、鋸歯形状に突出する突出部を各電極３０４、３１０に配置する。即ち、この突出部は、各電極３０４、３１０に配置された主突出部と、主突出部の両側から伸びている複数の副突出部を有して構成することができる。この場合、共通電極３０６には鋸歯形状の突出部を形成し、画素電極３１０には鋸歯形状のスリットを形成してもよい。あるいは、共通電極３０６には鋸歯形状のスリットを形成し、画素電極３１０には鋸歯形状の突出部を形成してもよい。
本実施形態では、共通電極３０６に、酸化インジウムスズ（ＩＴＯ）や酸化インジウム亜鉛（ＩＺＯ）などの透明な導電材料を用いることができる。そして、画素電極３１０も同様に、ＩＴＯやＩＺＯなどの透明な導電材料を用いると、透過型の液晶表示パネルを構成することができる。あるいは、画素電極３１０に金属材料を用いると、反射型の液晶表示パネルを構成することができる。更に、一部の画素電極３１０を透明電極とし、一部の画素電極３１０を金属電極とすることによって、半透過半反射型の液晶表示パネルを構成することができる。
【００１９】
図４は、上下の鋸歯状スリットの一実施形態を示す上面図である。図４では、一画素に対応する領域のみを示している。図４のIIは、共通電極４２０側の上鋸歯状パターン部４２２を示す上面図である。図４のIIIは、画素電極４４０側の下鋸歯状パターン部４４２を示す上面図である。そして、図４のＩは、共通電極４２０と画素電極４４０とが対向した状態を示しており、マルチドメイン垂直配向型液晶表示パネル４００における上鋸歯状パターン部４２２と下鋸歯状パターン部４４２との位置関係を示す上面図である。
図４のIIに示すように、共通電極４２０には、複数の上鋸歯状パターン部４２２が形成されている。各上鋸歯状パターン部４２２は、主スリット４２４と、主スリット４２４の両側から伸びている複数の副スリット４２６によって構成されている。図中の寸法ａは、副スリット４２６の長さを示している。
図４のIIIに示すように、画素電極４４０には、下鋸歯状パターン部４４２が形成されている。各下鋸歯状パターン部４４２は、主スリット４４４と、主スリット４４４の両側に形成されている複数の副スリット４４６によって構成されている。図中の寸法ｂは、副スリット４４６の長さを示している。図中の符号４５０は、下基板（図示省略）上に配置されている薄膜トランジスタ４５０を示している。
図４のＩに示すように、液晶表示パネル４００において共通電極４２０と画素電極４４０とが対向すると、上鋸歯状パターン部４２２と下鋸歯状パターン部４４２は、平行かつ交互に位置する。図中の寸法ｃは、上鋸歯状パターン部４２２と下鋸歯状パターン部４４２との最短距離を示しており、副スリット距離ｃと称される。図中の寸法ｄは、上鋸歯状パターン部４２２の主スリット４２４と下鋸歯状パターン部４４２の主スリット４４４との最短距離を示しており、主スリット距離ｄと称される。ここで、寸法ｃ、ｄは、上下基板の平行面上における寸法を意味する。主スリット距離ｄは、副スリット４２６の長さａと、副スリット４４６の長さｂと、副スリット距離ｃの三者の合計に等しい。ここで、副スリット距離ｃはゼロとすることができ、この場合、主スリット間隔ｄ＝ａ＋ｂとなる。また、副スリット距離ｃをマイナス、即ち、両副スリット４２６、４４６を互いに重畳する位置まで伸びるように形成することもでき、この場合、主スリット距離ｄ＝ａ＋ｂ−ｃとなる。これらの寸法ａ、ｂ、ｃは、設計の必要に応じて様々に組み合わせることができる。例えば、適当な応答速度を維持した上で透過率をできる限り大きくする場合、寸法ｃを正の値又はゼロとすることができる。その場合、好適な設計値は、ａ≦３０μｍ、ｂ≦３０μｍ、０μｍ≦ｃ≦２０μｍである。応答速度を重視する場合には、寸法ｃを負の値とするとよく、両副スリット４２６、４４６を相互に重畳させる。その場合、好適な設計値は、ａ≦４０μｍ、ｂ≦４０μｍ、−２０μｍ≦ｃ＜０μｍである。なお、寸法ｃの絶対値は、ａ値およびｂ値の半分とすることがより好ましい。ここで留意すべきは、各電極の主スリット４２４、４４４が、対向する電極側の副スリット４２６、４４６と重畳しないことである。
【００２０】
図５は、上下の鋸歯状スリットの他の実施形態を示す上面図である。この実施形態では、副スリット距離ｃがゼロに設定されている。図５のＩは、マルチドメイン垂直配向型液晶表示パネル５００における上鋸歯状パターン部５２２と下鋸歯状パターン部５４２との位置関係を示す上面図である。図５のIIは、上基板側の共通電極５２０に形成されている複数の上鋸歯状パターン部５２２を示す上面図である。
本発明を実施した液晶表示パネルを製造する際には、上基板側の共通電極５２０に鋸歯状パターン部５２２を形成する工程において、上下基板のストレージキャパシタの形成領域５５０に重畳する共通電極５２０を同時に除去し、下基板のストレージキャパシタ形成領域５５０の上方箇所には共通電極５２０を配置しないようにすることが好ましい。ストレージキャパシタ形成領域５５０では、光が透過不能な領域となることから、当該領域５５０では表示機能を提供できない。従って、当該領域５５０に重畳する共通電極を除去したとしても、表示の品質には影響が及ばない。そして、当該領域５５０の共通電極を除去することによって、各画素の液晶キャパシタが減少することから、各画素の液晶キャパシタを充電するのに要する時間が短縮される。言い換えると、同一の充電時間を維持する場合には、信号線を細くするとともに、画素電極を大きくすることができる。それにより、より高い開口率を得ることができ、光源の光透過率は上昇して、より良好な表示品質を得ることが可能となる。
【００２１】
公知技術と比較して、上記した液晶表示パネルを採用した液晶表示装置では、広視野角が実現されるとともに、液晶分子の応答時間が効果的に短縮され、動的画像の表示品質が大幅に改善される。また、液晶表示パネルの光透過率の向上によって、液晶表示装置の輝度やコントラスト値が向上され、液晶表示装置の性能は大幅に上昇する。
【００２２】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
本明細書または図面に説明した技術要素は、単独であるいは各種の組み合わせによって技術的有用性を発揮するものであり、出願時の請求項に記載の組み合わせに限定されるものではない。また、本明細書または図面に例示した技術は複数目的を同時に達成するものであり、そのうちの一つの目的を達成すること自体で技術的有用性を持つものである。
【図面の簡単な説明】
【００２３】
【図１】公知技術１による液晶表示パネルの構造を示す図。
【図２】公知技術２による液晶表示パネルの構造を示す図。
【図３】本発明を実施したマルチドメイン垂直配向型液晶表示パネルの構造を示す図。
【図４】上下の鋸歯状パターン部を示す上面図。
【図５】上下の鋸歯状パターン部を示す上面図（副スリット距離がゼロである場合）。
【符号の説明】
【００２４】
１００：公知技術１の液晶表示パネル
２００：公知技術２の液晶表示パネル
３００、４００、５００：マルチドメイン垂直配向型液晶表示パネル
１０２、２０２、３０２：上基板
１０４、２０４、３０４：カラーフィルタ層
１０６、２０６、３０６、４２０、５２０：共通電極
１０８、２０８、３０８：液晶層
１１０、２１０、３１０、４４０：画素電極
１１４、２１４、３１４：下基板
１１６、２１６：突出部
１１８：スリット
２１８、３４０、４４２、５４２：下鋸歯状パターン部
３２０、４２２、５２２：上鋸歯状パターン部
３２２、３４２、４２４、４４４、５２４、５４４：主スリット
３２４、３４４、４２６、４４６、５２６、５４６：副スリット
４５０：薄膜トランジスタ
５５０：ストレージキャパシタ形成領域
【図１】
2007025661.tif 000003
【図２】
2007025661.tif 000004
【図３】
2007025661.tif 000005
【図４】
2007025661.tif 000006
【図５】
2007025661.tif 000007